(57)【要約】【課題】  柱を基礎に固定するボルトやナットが外に露出するため、外見的に好ましくないとともに、ボルトやナットが腐食し易かった。【解決手段】  柱１０の下端部分１１の側面に凹部１２を設け、この凹部１２に上端側が凹部１２の外側へ傾斜可能にロックプレート１３を挿入し、他方、基礎部分２０には柱１０の下端部分１１を受け入れる穴２３を設けるとともに、この穴２３の内面にはロックプレート１３の上端を受け入れる凹部２４を設け、柱１０の下端部分１１を穴２３に差し込んだとき、ロックプレート１３が柱１０の凹部１２の下端と穴２３の凹部２４の上端の間に傾斜して位置することにより柱１０を基礎部分２０に固定する。【選択図】図１
2012112228.tif 000002
【特許請求の範囲】
【請求項１】
柱の下端部分の側面に凹部を設け、この凹部に上端側が凹部の外側へ傾斜可能にロックプレートを挿入し、他方、基礎部分には柱の下端部分を受け入れる穴を設けるとともに、この穴の内面には、柱の下端部分を穴に差し込んだとき、上記ロックプレートの上端を受け入れる凹部を設け、前記ロックプレートが柱の凹部下端と穴の凹部上端の間に傾斜して位置するように構成することにより、柱を基礎部分に固定することを特徴とする柱の取付装置。
【請求項２】
ロックプレートの両側面の下端寄りにそれぞれピンを突出させ、これらのピンの周面を前記穴の凹部の両サイドの穴内面に接触可能にするとともに、これらのピンの先端をこの穴内面と直交する両側の穴内面にそれぞれわずかな間隔を置いて対向可能に形成し、柱の下端部分を穴に差し込んだとき、ロックプレートの下端を柱の凹部下端に位置させるとともに、ロックプレートの上端を穴の凹部上端側へ突出可能にしたことを特徴とする請求項１記載の柱の取付装置。
【請求項３】
柱の下端部分を受け入れる穴が、基礎部分を構成するコンクリートの表面から突出して設けられた受け台に設けられていることを特徴とする請求項１又は２記載の柱の取付装置。
【発明の詳細な説明】
【技術分野】
【０００１】  この発明は、建造物等の構造物の柱の下端を基礎部分に取付固定するための装置に関する。
【背景技術】
【０００２】  従来、上記のような柱の下端を基礎部分に取付固定するのには、柱にボルトを貫通させて金属等で作られた受け台に固定する技術が一般的であった。
【先行技術文献】
【特許文献】
【０００３】
【非特許文献】
【０００４】
【発明の概要】
【発明が解決しようとする課題】
【０００５】  しかしながら、上記従来の技術によれば、ボルトやナットが外に露出するため、外見的に好ましくないとともに、ボルトやナットが腐食し易いという欠点があった。
そこで、この発明は、外にボルトやナットのような柱を固定する部材を露出させることなく、柱の下端を基礎部分に取付固定するための柱の取付装置を提供することを課題とする。
【課題を解決するための手段】
【０００６】  以上の課題を解決するために、第一発明は、柱の下端部分の側面に凹部を設け、この凹部に上端側が凹部の外側へ傾斜可能にロックプレートを挿入し、他方、基礎部分には柱の下端部分を受け入れる穴を設けるとともに、この穴の内面には、柱の下端部分を穴に差し込んだとき、上記ロックプレートの上端を受け入れる凹部を設け、前記ロックプレートが柱の凹部下端と穴の凹部上端の間に傾斜して位置するように構成することにより、柱を基礎部分に固定することを特徴とする柱の取付装置である。
また、第二発明は、第一発明のロックプレートの両側面の下端寄りにそれぞれピンを突出させ、これらのピンの周面を前記穴の凹部の両サイドの穴内面に接触可能にするとともに、これらのピンの先端をこの穴内面と直交する両側の穴内面にそれぞれわずかな間隔を置いて対向可能に形成し、柱の下端部分を穴に差し込んだとき、ロックプレートの下端を柱の凹部下端に位置させるとともに、ロックプレートの上端を穴の凹部上端側へ突出可能にしたことを特徴とする柱の取付装置である。
さらにまた、第三発明は、柱の下端部分を受け入れる穴が、基礎部分を構成するコンクリートの表面から突出して設けられた受け台に設けられていることを特徴とする柱の取付装置である。
【発明の効果】
【０００７】  第一発明ないし第三発明によれば、柱を基礎部分に固定するためのロックプレートなどの部材が柱や基礎部分の外側に現れず、従来技術のボルトやナットのような外に露出するものがないので、外見的に好ましく、腐食に対しても優れた効果が得られる。
【図面の簡単な説明】
【０００８】
【図１】この発明の一実施形態を示す一部断面図で、（Ａ）は柱を基礎部分に差し込む前の状態を示し、（Ｂ）は柱を基礎部分に差し込んだ状態を示している。
【図２】図１（Ａ）のＣ−Ｃ線による一部断面右側面図である。
【図３】この発明の他の実施形態の基礎部分を示す断面図である。
【発明を実施するための形態】
【０００９】  この発明の一実施形態を、図１ないし図２に示す。
柱１０は、基礎部分２０を構成する受け台２２の穴２３に差し込まれる下端部分１１が細く形成されている。この柱１０の材質は木に限らず、金属等種々のものを適用でき、また、断面形状は、外形が四角や丸でよく、さらに中空であってもよいなど任意の形状を採用可能であるが、この実施形態における柱１０は、中実の木材で断面の外形が正方形の例を示している。柱１０の下端部分１１の図１（Ａ）、（Ｂ）において左右の側面には、図２に示すように、これらの側面の全幅にわたる溝状の凹部１２が設けられている。
【００１０】  この凹部１２内には、後述する柱１０の取り付け時に、板状のロックプレート１３が挿入される。ロックプレート１３は、凹部１２の深さと等しいかそれ以下の厚さに設定され、両側面の下端寄りには、図２に示すように、それぞれピン１４が図２において左右へ突出させて取り付けられている。
【００１１】  他方、基礎部分２０は、上記受け台２２をコンクリート２１に埋め込み設置した例を示している。受け台２２は、ステンレス鋼等の金属で作られた中空の筒状体からなり、上記のように柱１０の下端部分１１を受け入れる穴２３を有している。穴２３の内面には、上記ロックプレート１３に対向する凹部２４が形成されている。この凹部２４は、図２に示すように、その幅（図２において左右方向の長さ）は、柱１０の下端部分１１の幅、すなわち穴２３の一辺の長さより短く、ロックプレート１３の幅より若干広い幅に形成され、この凹部２４の上下方向の位置及び長さは、図１（Ｂ）に示すように、柱１０の下端部分１１を穴２３に完全に差し込んだとき、上端がロックプレート１３の上端に対応し、下端は柱１０の凹部１２の下端より下か若しくはわずかに上となるように設定されている。
【００１２】  上記ピン１４は、柱１０の下端部分１１を穴２３に差し込む際、ロックプレート１３の下端を凹部１２内の所定位置に保持するとともに、この下端部分１１が完全に差し込まれたとき、ロックプレート１３の上端が凹部１２内から凹部２４側へ突出可能に保持するためのものであり、ピン１４の周面は、図１（Ｂ）及び図２に示すように、穴２３の凹部２４の両サイドの穴内面に接触若しくはわずかな間隔を置き、柱１０の下端部分１１を穴２３に完全に差し込んだとき、上記穴内面に接触可能になされ、また、両ピン１４の先端は、図２に示すように、穴２３の凹部２４を有する穴内面と直交する両側の穴内面にそれぞれわずかな間隔を置いて対向するように形成されている。
【００１３】  また、ロックプレート１３の下端は、図１（Ａ）に示すように、凹部１２の奥側で凹部１２の下端に当たるように斜めに形成され、柱１０の下端部分１１を穴２３に完全に差し込んだとき、ロックプレート１３の上端が自重で凹部１２内から凹部２４側へ突出して傾斜するように構成されている。なお、図１（Ａ）、（Ｂ）において、２５は、受け台２２をコンクリート２１に強固に固定するためのアンカーである。
【００１４】  次いで基礎部分２０への柱１０の取り付け方と上記装置の作用について説明する。ロックプレート１３を、図１（Ａ）及び図２に示すように、柱１０の凹部１２内に挿入し、柱１０の下端部分１１を受け台２２の穴２３へ差し込む。柱１０が穴２３に差し込まれ、ピン１４が穴２３内へ入ると、ピン１４は周面と先端がそれぞれ穴２３の穴内面にわずかな間隔を有するか若しくは接触可能に設けられているため、自由な移動を規制され、ロックプレート１３の下端を凹部１２内の所定位置に保持する。また、ロックプレート１３は、その表面が穴２３の穴内面に接触することにより、凹部１２内に保持される。
【００１５】  柱１０の下端部分１１が、図１（Ｂ）に示すように、穴２３に完全に差し込まれると、ロックプレート１３の上端が、穴２３の凹部２４の上端からわずかに下に位置する。このとき、ロックプレート１３は下端の奥側で支持されているため、自重で上端が凹部１２内から凹部１４側へ突出し、凹部２４の上端に当たる。
【００１６】  これによりロックプレート１３は、図１（Ｂ）に示すように、柱１０の凹部１２の下端と穴２３の凹部２４の上端との間に傾斜して位置し、柱１０が穴２３すなわち基礎部分２０から抜け出さないように、柱１０を基礎部分２０に固定する。
【００１７】「実施形態の効果」
この実施形態によれば、柱１０を基礎部分２０に固定するためのロックプレート１３やピン１４などの部材が柱１０や基礎部分２０の中にあって露出しないので、外見的に好ましく、腐食に対しても優れた効果が得られる。
【００１８】「他の実施形態」
図１ないし図２の実施形態では、ステンレス鋼等の金属で作られた中空の筒状体からなる受け台２２をコンクリート２１に埋め込んで基礎部分２０を形成した例を示したが、図３に示すように、受け台２２０を内筒２２１と外筒２２２とで構成し、柱の下端部分を受け入れる穴２３０を内筒２２１に形成し、受け台２２０をコンクリート２１の表面から十分に突出させるようにしたものである。これによれば、柱１０の下端をコンクリート２１の表面から十分に離して腐食を抑えることができる。また、前述した凹部２４に対応する凹部２４０は、内筒２２１に設けた窓状の穴２４１とこの穴２４１の上端に設けたロックプレート受け２４２により形成されている。これによっても図１ないし図２の実施形態と同様の作用効果を得ることができる。
【００１９】  また、図示しないが、凹部１２は、柱１０の下端部分１１の側面の全幅にわたる溝状の凹部１２ではなく、下端部分１１の側面内に納まる矩形の凹部とし、ピン１４の先端をこの矩形凹部の両サイドの内面に対向させるようにしてもよく、さらにまた、ピン１４はロックプレート１３と一体的に形成してもよく、断面形状は円に限らず、矩形等の任意の形状でよく、さらにまた、ロックプレート１３を傾斜させるため、ロックプレート１３の下端側ではなく、凹部２４の下端側を奥側が高くなるように傾斜させてもよい等、特許請求の範囲を逸脱しない範囲において種々変形実施可能である。
【符号の説明】
【００２０】１０  柱                  １１  下端部分            １２  凹部
１３  ロックプレート      １４  ピン
２０  基礎部分            ２１  コンクリート        ２２、２２０  受け台
２３、２３０  穴          ２４、２４０  凹部        ２５  アンカー
２２１  内筒              ２２２  外筒              ２４１  穴
２４２  ロックプレート受け
【図１】
2012112228.tif 000003
【図２】
2012112228.tif 000004
【図３】
2012112228.tif 000005